(57)【特許請求の範囲】
【請求項１】
扁平四角状ケース１の周側面の一面にディスクＤの出し入れ孔１１が形成され、前記ケース１内にはその出し入れ孔１１の両側に出し入れ孔１１から後方に向かう可動ホルダー１５と固定ホルダー１６が対向して設けられて、その両ホルダー１５、１６の間にディスクＤが収納可能になっており、
上記可動ホルダー１５は、上記出し入れ孔１１から突出する摘み１５ａを有し、その摘み１５ａから収納状態のディスクＤの周縁に沿ってその後部に至る円弧状をして、その中程で揺動自在に上記ケース１に固定されており、上記固定ホルダー１６は、前記収納状態のディスクＤの周縁後部から前部に至る円弧状をして、その後部において前部が屈曲可能に前記ケース１に固定されており、
上記可動ホルダー１５をその上記摘み１５ａをケース１の一隅方向に移動させて上記出し入れ孔１１に向かって揺動させた状態で、その出し入れ孔１１からディスクＤをその可動ホルダー１５を後方に揺動させると共に固定ホルダー１６の前部を後退させてケース１内に収納し、その収納状態から、前記摘み１５ａをケース１の一隅方向に移動させて前記可動ホルダー１５を前記出し入れ孔１１に向かって揺動させ、その可動ホルダー１１の後部でもって前記ディスクＤを前記固定ホルダー１６の前部を後退させながら出し入れ孔１１から送り出すようにしたことを特徴とするディスクケース。
【請求項２】
上記扁平四角状ケース１は、その厚み方向の中程で見開き状に２分割される蓋部分１０ａと底部分１０ｂからなって、その蓋部分１０ａと底部分１０ｂを閉じることにより構成され、前記蓋部分１０ａには、底部分１０ｂとの連結部でもって起伏自在に切り起こされた舌片１９が形成され、この舌片１９と底部分１０ｂとで上記可動ホルダー１５と固定ホルダー１６を支持するようになっていることを特徴とする請求項１に記載のディスクケース。
【請求項３】
上記出し入れ孔１１に上記ケース１の厚み方向において揺動する蓋１２を設けるとともに、上記摘み１５ａにその蓋１２の揺動先端縁に接する開放傾斜面部１５ｃを設け、この開放傾斜面部１５ｃは、ケース１外側から内側に徐々に高くなっており、前記摘み１５ａをケース１の一隅方向に移動させる際のその開放傾斜面部１５ｃとの当接摺動によって前記蓋１２が開放することを特徴とする請求項１又は２に記載のディスクケース。
【請求項４】
上記可動ホルダー１５及び固定ホルダー１６に上記ディスクＤの周縁が嵌る溝１５ｂをそれぞれ形成したことを特徴とする請求項１乃至３のいずれかに記載のディスクケース。
【発明の詳細な説明】
【技術分野】
【０００１】
この発明は、コンピュータソフト、ＣＤ、ＤＶＤ等の記録媒体として用いられるディスクを保管するためのケースに関するものである。
【背景技術】
【０００２】
この種のディスクケースは、通常、扁平四角状体をして、その厚み方向の中程で２分割し、その一方を蓋、他方を収納ケースとしたものが一般的である（特許文献１  図５参照）。
しかし、この一般的なディスクケースは、その蓋を開けないと、ディスクを取り出すことができない。一方、この種のディスクケースは縦に立てて収納するのが一般的である。このため、所要のディスクは、そのディスクケースを収納スペースから取り出し、その蓋を開けて取り出している。【０００３】
このディスクケースを取り出した後に蓋を開けてディスクを取り出す動作は煩わしいため、ケースの側面から、スロットイン式にディスクを出し入れ可能にしたケースがある。このスロットイン式のディスクケースは、その内部側面に弾性体からなるストッパを設け、そのストッパを後退させてディスクをケースに収納し、ケース側面の切り欠きから指でもってディスクの中央孔を介して前記ストッパに抗してディスクをケースから取り出す（特許文献２  段落００１０、００１１、図２  参照）。
【特許文献１】特開２００３−６３５８５号公報
【特許文献２】特開２００３−２３７８７３号公報
【発明の開示】
【発明が解決しようとする課題】
【０００４】
上記スロットイン式ディスクケースは、スロットイン挿入口（出し入れ孔）及び切り欠きが開放しており、それらから、塵埃（ほこり）がケース内に入り込むため、ディスクにその塵埃が付着し易い。
また、ディスクの出し入れにそのガイドがないため、ディスクを傷つける恐れがある。【０００５】
この発明は、ディスクの出し入れをスムースにすることを第１の課題、ディスクに塵埃が付着し難くすることを第２の課題とする。
【課題を解決するための手段】
【０００６】
上記第１の課題を達成するために、この発明は、対のホルダーでディスクを掴むようにケース内に案内して保持するようにしたのである。
このようにすれば、ディスクは出し入れによって傷つきにくく、また、スムースに出し入れされる。【０００７】
第２の課題を達成するために、この発明は、ディスクの出し入れ口（孔）に蓋を設けたのである。
蓋があれば、塵埃はケース内に入りにくい。
【発明の効果】
【０００８】
この発明は、対のホルダーでディスクを掴むようにケース内に案内して保持するようにしたので、ディスクは出し入れによって傷つきにくく、また、スムースに出し入れし得る。さらに、ディスク出し入れ孔の蓋によって、ケース内に塵埃は入りにくく、ディスクにその塵埃が付着し難い。
【図面の簡単な説明】
【０００９】
【図１】一実施例の斜視図
【図２】同実施例の要部斜視図
【図３】同実施例のケース本体の展開図
【図４】同実施例の可動ホルダーの摘み部を示し、（ａ）は一部切欠斜視図、（ｂ）は同（ａ）の右側面図
【図５】同実施例の作用図
【図６】同実施例の作用図
【図７（ａ）】同実施例の作用図
【図７（ｂ）】同実施例の作用図
【図７（ｃ）】同実施例の作用図
【図８（ａ）】同実施例の作用図
【図８（ｂ）】同実施例の作用図
【図９】他の実施例の斜視図
【図１０】他の実施例の斜視図
【図１１】同実施例のケース本体の展開図
【図１２】他の実施例の斜視図
【図１３】同実施例の開放状態斜視図
【符号の説明】
【００１０】
１  ディスクケース
１０  ケース本体
１１  出し入れ孔
１２  蓋
１２ａ  切り欠き
１２ｂ  テーパ縁
１３  突起
１４  凹部
１５  可動ホルダー
１５ａ  摘み
１５ｂ  ディスク周縁嵌合溝
１５ｃ  開放傾斜面部
１６  固定ホルダー
１６ａ  ディスク周縁嵌合溝
１７  爪
１９  舌片
２２  フィルム
Ｄ  ディスク
Ｅ  紙片（歌詞）
【発明を実施するための最良の形態】
【００１１】
この発明の実施形態としては、例えば、扁平四角状ケースの周側面の一面にディスクの出し入れ孔が形成され、ケース内にはその出し入れ孔の両側に出し入れ孔から後方に向かう可動ホルダーと固定ホルダーが対向して設けられて、その両ホルダーの間にディスクが収納可能になっており、可動ホルダーは、出し入れ孔から突出する摘みを有し、その摘みから収納状態のディスクの周縁に沿ってその後部に至る円弧状をして、その中程で揺動自在にケースに固定されており、固定ホルダーは、収納状態のディスクの周縁後部から前部に至る円弧状をして、その後部において前部が屈曲可能にケースに固定されている構成を採用できる。【００１２】
この構成では、上記可動ホルダーをその摘みをケースの一隅方向に移動させて出し入れ孔に向かって揺動させた状態で、その出し入れ孔からディスクをその可動ホルダーを後方に揺動させると共に固定ホルダーの前部を後退させてケース内に収納し、その収納状態から、前記摘みをケースの一隅方向に移動させて可動ホルダーを出し入れ孔に向かって揺動させ、その可動ホルダーの後部でもってディスクを固定ホルダーの前部を後退させながら出し入れ孔から送り出す。【００１３】
このとき、上記出し入れ孔には、ケースの厚み方向において揺動する蓋を設けるとともに、上記摘みにその蓋の揺動先端縁に接する開放傾斜面部を設け、この開放傾斜面部は、ケース外側から内側に徐々に高くなっており、摘みをケースの一隅方向に移動させる際のその開放傾斜面部との当接によって蓋が開放するようにすると、摘みの移動と共に、蓋が開閉するため、ディスクの出し入れがよりスムースとなる。
また、上記可動及び固定の両ホルダーに上記ディスクの周縁が嵌る溝を形成すれば、ディスクの側面（記憶面）がケースに触れなくなる。【００１４】
さらに、上記扁平四角状ケースは、その厚み方向の中程で見開き状に２分割される蓋部分と底部分（収納ケース部分）からなって、その蓋部分と底部分を閉じることにより構成され、前記蓋部分には、底部分との連結部でもって起伏自在に切り起こされた舌片が形成され、この舌片と底部分とで上記可動ホルダーと固定ホルダーを支持するようにすれば、蓋部分と底部分を分離して見開き状にしても、舌片と底部分とで可動ホルダーと固定ホルダーを支持しているので、ディスクの出し入れ及び保持が可能である。このため、蓋部分内に、そのディスクの内容（歌詞、ストーリー等）を記載した冊子（紙片）等を収容し、それを見るために、蓋部分を開けてもディスクの支持等に支障がない。
【実施例】
【００１５】
一実施例を図１〜図８に示し、この実施例のケース本体１０は、透明なプラスチックによって形成され、図３に示すように、蓋部分１０ａと底部分１０ｂとから成る。その蓋部分１０ａと底部分１０ｂの両者はケース１の一周側面を構成する片１０ｃでもって折れ線部１０ｄを介して連結されている。また、ケース本体１０の蓋部分１０ａ及び底部分１０ｂの前記片１０ｃの部分を除いた周縁は側壁１０ｆを有する。このため、ケース本体１０は、その蓋部分１０ａと底部分１０ｂを前記折れ線部１０ｄを介して重ねることによって、図１に示す扁平四角状のケース１を形成する。重なった蓋部分１０ａと底部分１０ｂは溶着・接着などの適宜な手段によって一体化する。【００１６】
蓋部分１０ａと底部分１０ｂの上記片１０ｃと対向する側縁に位置する側壁１０ｆには、その長さ方向の切り欠きが形成されて、この両切り欠きによって、図１に示すディスクＤの出し入れ孔１１が形成される。この孔１１には、片状の蓋１２がその両端で軸受１１ｂを介してケース１の厚み方向において揺動自在に設けられている。蓋１２の軸受１１ｂは、蓋部分１０ａと底部分１０ｂのどちらに設けてもよいが、蓋部分１０ａと底部分１０ｂを見開き状に開いたとき（図１３参照）、下記可動ホルダー１５と固定ホルダー１６が残ってディスクＤを保持し続ける側に設けることが好ましい。【００１７】
ケース本体１０の蓋部分１０ａの四隅に突起１３が設けられ、底部分１０ｂの四隅にはその突起１３が嵌る凹部１４が設けられている。このため、図５に示すように、その突起１３を凹部１４に嵌めてこのケース１を重ねると、その嵌合によって、各ケース１が位置決めされる。【００１８】
ケース１内には、出し入れ孔１１の両側にその出し入れ孔１１から後方に向かうプラスチック製の可動ホルダー１５と固定ホルダー１６が対向して設けられている。その可動ホルダー１５は、出し入れ孔１１から突出する摘み１５ａを有し、その摘み１５ａから収納状態のディスクＤの周縁に沿ってその後部に至る円弧状をして、その中程で揺動自在に前記ケース１に固定されている。その揺動軸１５ｄは、ホルダー１５側に設けても、ケース１（ケース本体１０）側に設けても良い。【００１９】
固定ホルダー１６は、収納状態のディスクＤの周縁後部から前部に至る円弧状をして、その後部において前部が屈曲可能に前記ケース１に固定されている。その固定は、後部の二点をケース１（ケース本体１０）に軸１６ｄでもって固定することによって行なっている。その軸１６ｄもホルダー１５側に設けても、ケース１（ケース本体１０）側に設けても良い。【００２０】
なお、図中、１１ａは出し入れ孔１１の縁に設けた蓋１２のガイド突起、１５ｅ、１６ｅは、各ホルダー１５、１６の両側面に設けたガイドピンであって、ケース本体１０内面に摺動してホルダー１５、１６をスムースに移動させる。また、図３中の符号１０ｅは揺動軸１５ｄ又は軸１６ｄが嵌って回転可能に固定される孔である。【００２１】
可動ホルダー１５及び固定ホルダー１６の対向面にはディスクＤの周縁が嵌る溝１５ｂ、１６ｂがそれぞれ形成されており、この両ホルダー１５、１６の間にディスクＤを納めると（嵌めると）、その溝１５ｂ、１６ｂにディスクＤの周縁が嵌ってその側面（記憶面）がケース１に触れることがなくなり、記憶面の損傷が防止される。【００２２】
上記摘み１５ａは、蓋１２のほぼ中央の切り欠き１２ａを介して出し入れ孔１１から突出し、通常、可動ホルダー１５の弾性でもって、その切り欠き１２ａに係止して妄りに動かないようになっている。
切り欠き１２ａの一側はケース１の一隅（図１において右下隅）に向かって下り勾配のテーパ縁１２ｂとなっており、摘み１５ａをそのケース１の一隅に向かって移動させると、摘み１５ａはそのテーパ縁１２ｂに案内されて切り欠き１２ａから蓋１２の先端縁に導き出され、その先端縁に沿って前記一隅にスムースに移動する。【００２３】
また、上記摘み１５ａには蓋１２の揺動先端縁に接する開放傾斜面部１５ｃが設けられて、この開放傾斜面部１５ｃは、ケース１外側から内側に徐々に高くなっている（図４参照）。このため、摘み１５ａをケース１の一隅方向に移動させると、その開放傾斜面部１５ｃとの当接によって蓋１２が回動し（図１において、下側に回動し）、出し入れ孔１１がディスクＤが出し入れできる程度に開放される（図６（ａ）→同（ｂ）→同（ｃ））。このように、摘み１５ａの移動と共に、蓋１２が開閉すれば、ディスクＤの出し入れがよりスムースとなる。【００２４】
この実施例のディスクケース１は以上の構成であり、つぎにその作用について説明すると、ディスクＤの収納は、図７（ａ）から同（ｂ）に示すように、摘み１５ａをケース１の一隅側に移動させた状態において、図７（ｂ）の一点鎖線に示すように、ディスクＤを出し入れ孔１１からケース１内に押し込むと、同図二点鎖線に示すように、そのディスクＤは両ホルダー１５、１６の溝１５ｂ、１６ｂに嵌った状態で、その固定ホルダー１６の前部を撓ませながら、可動ホルダー１５を回動させ、やがて、同図（ｃ）に示すように、ケース１内に、その両ホルダー１５、１６に挟まれた状態でしっかり保持されて収納される。このとき、ディスクＤのケース１内への押し込みは、ディスクＤを直接に押しても良いが、摘み１５ａを掴んで出し入れ孔１１の中程に移動させ、その移動による可動ホルダー１５の回動でもって、ディスクＤを押すとよい。【００２５】
ディスクＤを収納状態から取り出すには、図８（ａ）矢印に示すように、摘み１５ａをケース１の一隅に移動させると、可動ホルダー１５が回動し、その後部がディスクＤを押出すため、同図（ｂ）に示すように、ディスクＤは、固定ホルダー１６の前部を押し上げながら出し入れ孔１１から外に押し出され、やがて、ケース１外に取り出される。【００２６】
このように、このケース１では、摘み１５ａの移動によって、ディスクＤの出し入れを行なうことができるため、複数のケース１を重ねた状態、特に、立てて重ねた状態でも、ケース１を取り出すことなく、ディスクＤをケース１から出し入れできる。【００２７】
ケース１の蓋部分１０ａ又は底部分１０ｂの表面には、図９に示すように、その隅又は辺中程に爪１７を形成し、この爪１７でもって、ケース１表面に、歌詞、ブロマイド、写真などの紙片Ｅを納めるようにすることができる。このとき、上記突起１３及び凹部１４を設けることもできる。【００２８】
また、図１０、図１１に示すように、ケース１の蓋部分１０ａと底部分１０ｂの結合は、係合孔１８ａに嵌る係合突起１８ｂをその蓋部分１０ａ又は底部分１０ｂの内面に設け、その係合（嵌合）によって行うようにすることもできる。【００２９】
さらに、図１２、図１３に示すように、扁平四角状ケース１は、その厚み方向の中程で見開き状に２分割される蓋部分１０ａと底部分１０ｂからなって、その蓋部分１０ａと底部分１０ｂを閉じることにより構成され、その蓋部分１０ａには、底部分１０ｂとの連結部でもって起伏自在に切り起こされた舌片１９が形成され、この舌片１９と底部分１０ｂとで可動ホルダー１５と固定ホルダー１６を支持するようにすることができる。
このようにすれば、図１３に示すように、蓋部分１０ａと底部分１０ｂを分離して見開き状にしても、舌片１９と底部分１０ｂとで可動ホルダー１５と固定ホルダー１６を支持しているので、ディスクＤの出し入れ及び保持が可能である。このため、蓋部分１０ａ内に、そのディスクＤの歌詞、ブロマイド、写真などの紙片Ｅ（冊子）等を収容し、それを見るために、蓋部分１０ａを開けてもディスクＤの支持に支障がない。蓋部分１０ａ内面には、その紙片Ｅを止めるフック２０を設けるとよい。図中、２１は、舌片１９の切り起しにより生じた蓋部分１０ａの孔である。【００３０】
これらの実施例の各ケース１において、図１２、図１３に示すように、そのケース１（蓋部分１０ａと底部分１０ｂ）の全表面に透明のフィルム２２を沿わせ、そのフィルム２２の両端（出し入れ孔１１側）を蓋部分１０ａの端（図１３の左端）と底部分１０ｂの端（図１３の右端）に接着し、そのフィルム２２内にディスクＤのタイトル等の紙片を収納するようにすることができる。
【図１】
0004019103.tif 000002
【図２】
0004019103.tif 000003
【図３】
0004019103.tif 000004
【図４】
0004019103.tif 000005
【図５】
0004019103.tif 000006
【図６】
0004019103.tif 000007
【図７（ａ）】
0004019103.tif 000008
【図７（ｂ）】
0004019103.tif 000009
【図７（ｃ）】
0004019103.tif 000010
【図８（ａ）】
0004019103.tif 000011
【図８（ｂ）】
0004019103.tif 000012
【図９】
0004019103.tif 000013
【図１０】
0004019103.tif 000014
【図１１】
0004019103.tif 000015
【図１２】
0004019103.tif 000016
【図１３】
0004019103.tif 000017